(57)【要約】【課題】複数の照明負荷の各々から放射される光束のばらつきの抑制を図る。【解決手段】照明制御システム４は、複数のＬＥＤ２０の各々に流れる負荷電流Ｉ１〜Ｉ３をそれぞれのＬＥＤ２０ごとに検出する電流検出部（抵抗器Ｒ１１〜Ｒ１３及び信号処理部４３）を備える。照明制御システム４は、複数のＬＥＤ２０ごとの負荷電流Ｉ１〜Ｉ３を各別に調整する電流調整部（トランジスタＴＲ１〜ＴＲ３及び駆動部４２）と、電流調整部を制御する制御部４１を備える。制御部４１は、電流検出部が検出する複数のＬＥＤ２０ごとの負荷電流Ｉ１〜Ｉ３を比較する。制御部４１は、複数のＬＥＤ２０ごとの負荷電流Ｉ１〜Ｉ３の差が所定の範囲内に収まるように電流調整部に負荷電流Ｉ１〜Ｉ３を調整させる。【選択図】        図１
2020107433.tif 000002
【特許請求の範囲】
【請求項１】
定電流源に対して電気的に並列接続された複数の照明負荷の各々に供給される電流を調整する照明制御システムであって、
前記複数の照明負荷の各々は、順方向の印加電圧に対して単調増加する電圧−電流特性を有しており、
前記複数の照明負荷の各々に流れる負荷電流を前記複数の照明負荷ごとに検出する電流検出部と、
前記複数の照明負荷ごとの前記負荷電流を各別に調整する電流調整部と、
前記電流調整部を制御する制御部と、
を備え、
前記制御部は、前記電流検出部が検出する前記複数の照明負荷ごとの前記負荷電流を比較し、前記複数の照明負荷ごとの前記負荷電流の差が所定の範囲内に収まるように前記電流調整部に前記負荷電流を調整させる、
照明制御システム。
【請求項２】
前記制御部は、前記複数の照明負荷ごとの前記負荷電流のうちで最も大きい前記負荷電流を含む一つ以上の前記負荷電流を調整するように前記電流調整部を制御する、
請求項１記載の照明制御システム。
【請求項３】
前記制御部は、前記複数の照明負荷ごとの前記負荷電流のうちで最も小さい前記負荷電流を含む一つ以上の前記負荷電流を調整するように前記電流調整部を制御する、
請求項１記載の照明制御システム。
【請求項４】
前記電流調整部は、
抵抗値が可変である電気素子と、
前記電気素子を制御して前記抵抗値を変化させる電気素子制御部と、
を有する、
請求項１〜３のいずれか１項に記載の照明制御システム。
【請求項５】
前記電気素子はトランジスタであり、
前記電気素子制御部は、前記トランジスタを能動領域で動作させる、
請求項４記載の照明制御システム。
【請求項６】
定電流源と、
前記定電流源に対して電気的に並列接続された複数の照明負荷と、
請求項１〜５のいずれかの照明制御システムと、
を有する、
照明システム。
【請求項７】
前記定電流源は、複数の直流電源回路を有し、
前記複数の直流電源回路の各々の出力端子が電気的に並列接続されている、
請求項６記載の照明システム。
【発明の詳細な説明】
【技術分野】
【０００１】
本開示は、照明制御システム及び照明システムに関する。より詳細には、本開示は、電気的に並列接続された複数の照明負荷を点灯させる照明制御システム、及び複数の照明負荷と照明制御システムを有する照明システムに関する。
【背景技術】
【０００２】
特許文献１には、ＬＥＤ駆動装置と、ＬＥＤモジュールと、調光制御装置とを備えた照明器具が開示されている。ＬＥＤモジュールは、複数のＬＥＤを直列に接続してなるＬＥＤユニットを複数有している。ＬＥＤモジュールは、複数のＬＥＤユニットが電気的に並列に接続されて構成されている。ＬＥＤ駆動装置は、降圧型コンバータ回路部と、調光制御部とを有している。降圧型コンバータ回路部は、ＬＥＤモジュールに駆動電力を供給するとともに、ＬＥＤモジュールの調光動作を行う。調光制御部は、調光制御装置から入力される調光指示信号に基づいて降圧型コンバータ回路部の出力を調整することにより、ＬＥＤモジュールの調光動作を行う。
【先行技術文献】
【特許文献】
【０００３】
【特許文献１】特開２０１５−８８３８６号公報
【発明の概要】
【発明が解決しようとする課題】
【０００４】
ところで、特許文献１記載の従来例では、ＬＥＤモジュールを構成する複数のＬＥＤユニット（照明負荷）の電圧−電流特性（いわゆる、ＶＦ特性）のばらつきに起因して、それぞれのＬＥＤユニットに流れる電流にばらつきが生じる可能性がある。そして、複数のＬＥＤユニットのそれぞれに流れる電流が異なる場合、各ＬＥＤユニットから放射される光束にもばらつきが生じる可能性がある。
【０００５】
本開示の目的は、複数の照明負荷の各々から放射される光束のばらつきの抑制を図ることができる照明制御システム及び照明システムを提供することである。
【課題を解決するための手段】
【０００６】
本開示の一態様に係る照明制御システムは、定電流源に対して電気的に並列接続された複数の照明負荷の各々に供給される電流を調整する。前記複数の照明負荷の各々は、順方向の印加電圧に対して単調増加する電圧−電流特性を有している。前記照明制御システムは、前記複数の照明負荷の各々に流れる負荷電流を前記複数の照明負荷ごとに検出する電流検出部と、前記複数の照明負荷ごとの前記負荷電流を各別に調整する電流調整部とを備える。前記照明制御システムは、前記電流調整部を制御する制御部を備える。前記制御部は、前記電流検出部が検出する前記複数の照明負荷ごとの前記負荷電流を比較する。前記制御部は、前記複数の照明負荷ごとの前記負荷電流の差が所定の範囲内に収まるように前記電流調整部に前記負荷電流を調整させる。
【０００７】
本開示の一態様に係る照明システムは、定電流源と、前記定電流源に対して電気的に並列接続された複数の照明負荷と、前記照明制御システムとを有する。
【発明の効果】
【０００８】
本開示の照明制御システム及び照明システムは、複数の照明負荷の各々から放射される光束のばらつきの抑制を図ることができるという効果がある。
【図面の簡単な説明】
【０００９】
【図１】図１は、本開示の実施形態に係る照明システム及び照明制御システムのシステム構成図である。
【図２】図２は、同上の照明制御システム及び照明システムにおけるＬＥＤの電圧−電流特性を示す図である。
【図３】図３は、同上の照明制御システム及び照明システムの変形例のシステム構成図である。
【発明を実施するための形態】
【００１０】
以下、本開示の照明制御システム及び照明システムに係る実施形態について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態に係る照明システム１（以下、照明システム１と略す。）は、図１に示すように、実施形態に係る照明制御システム４（以下、照明制御システム４と略す。）と、複数（図示例では三つ）のＬＥＤ２０と、電源装置３とを備える。三つのＬＥＤ（Light Emitting Diode）２０は、第１のＬＥＤ２０Ａ、第２のＬＥＤ２０Ｂ及び第３のＬＥＤ２０Ｃと呼ぶ場合がある。ただし、三つのＬＥＤ２０の各々は、電気的に直列接続された複数のＬＥＤを有するＬＥＤモジュールであっても構わない。また、第１のＬＥＤ２０Ａ、第２のＬＥＤ２０Ｂ及び第３のＬＥＤ２０Ｃの各々の定格（定格電圧及び定格電流）は等しい。なお、三つのＬＥＤ２０のアノードが電源装置３の正極と電気的に接続されている。
【００１２】
電源装置３は定電流源であり、直流の定電流（出力電流Ｉ０）を出力する。電源装置３の負極には、三つの抵抗器Ｒ１１、Ｒ１２、Ｒ１３のそれぞれの第一端が電気的に接続されている。抵抗器Ｒ１１の第二端は、トランジスタＴＲ１のソースと電気的に接続されている。抵抗器Ｒ１２の第二端は、トランジスタＴＲ２のソースと電気的に接続されている。抵抗器Ｒ１３の第二端は、トランジスタＴＲ３のソースと電気的に接続されている。なお、三つのトランジスタＴＲ１〜ＴＲ３の各々は、エンハンスメント形のＮチャネルＭＯＳＦＥＴ（metal-oxide-semiconductor field-effect transistor）である。ただし、各トランジスタＴＲ１〜ＴＲ３は、バイポーラトランジスタ又は絶縁ゲート型バイポーラトランジスタなどのトランジスタであっても構わない。なお、三つのトランジスタＴＲ１〜ＴＲ３の各々の定格は等しい。
【００１３】
照明制御システム４は、上記三つのトランジスタＴＲ１〜ＴＲ３と、上記三つの抵抗器Ｒ１１〜Ｒ１３と、制御ユニット４０とを有する。トランジスタＴＲ１のドレインは、第１のＬＥＤ２０Ａのカソードと電気的に接続されている。トランジスタＴＲ２のドレインは、第２のＬＥＤ２０Ｂのカソードと電気的に接続されている。トランジスタＴＲ３のドレインは、第３のＬＥＤ２０Ｃのカソードと電気的に接続されている。
【００１４】
制御ユニット４０は、制御部４１と、駆動部４２と、信号処理部４３とを有する。駆動部４２は、三つのトランジスタＴＲ１〜ＴＲ３の各々のゲート・ソース電圧を変化させることによって、それぞれのトランジスタＴＲ１〜ＴＲ３のオン抵抗を調整する。三つのＬＥＤ２０のそれぞれに流れる負荷電流は、三つのトランジスタＴＲ１〜ＴＲ３の各々のオン抵抗が小さくなるほど増大し、オン抵抗が大きくなるほど減少する。すなわち、三つのトランジスタＴＲ１〜ＴＲ３と駆動部４２によって電流調整部が構成されている。ただし、駆動部４２は、トランジスタＴＲ１〜ＴＲ３の各々のゲート・ソース電圧をパルス幅変調制御することにより、トランジスタＴＲ１〜ＴＲ３の見掛け上のオン抵抗を調整してもよい。
【００１５】
三つの抵抗器Ｒ１１〜Ｒ１３のそれぞれの両端には、三つのトランジスタＴＲ１〜ＴＲ３の各々に流れる負荷電流に比例した電圧降下が生じる。ここで、第１のＬＥＤ２０Ａに流れる負荷電流を第１の負荷電流Ｉ１、第２のＬＥＤ２０Ｂに流れる負荷電流を第２の負荷電流Ｉ２、第３のＬＥＤ２０Ｃに流れる負荷電流を第３の負荷電流Ｉ３と呼ぶ場合がある。なお、第１〜第３の負荷電流Ｉ１〜Ｉ３の総和が電源装置３の出力電流Ｉ０に等しい。
【００１６】
信号処理部４３は、三つの抵抗器Ｒ１１〜Ｒ１３の両端電圧を各別に検出する。なお、三つの抵抗器Ｒ１１〜Ｒ１３の各々の抵抗値は等しい。信号処理部４３は、抵抗器Ｒ１１の両端電圧を検出した第１検出信号と、抵抗器Ｒ１２の両端電圧を検出した第２検出信号と、抵抗器Ｒ１３の両端電圧を検出した第３検出信号とを制御部４１に出力する。つまり、信号処理部４３と三つの抵抗器Ｒ１１〜Ｒ１３によって電流検出部が構成されている。第１検出信号は、第１の負荷電流Ｉ１に比例した直流電圧信号である。第２検出信号は、第２の負荷電流Ｉ２に比例した直流電圧信号である。第３検出信号は、第３の負荷電流Ｉ３に比例した直流電圧信号である。
【００１７】
制御部４１は、例えばマイクロコントローラを有する。制御部４１は、制御用のプログラムをマイクロコントローラに実行させることによって、以下の制御を行う。
【００１８】
まず、制御部４１は、信号処理部４３から出力される第１検出信号、第２検出信号及び第３検出信号をサンプリングし、かつ、量子化（アナログ／デジタル変換）する。制御部４１は、デジタル信号に変換した第１検出信号（第１検出データ）、第２検出信号（第２検出データ）及び第３検出信号（第３検出データ）をメモリ（半導体メモリ）に記憶する。制御部４１は、メモリに記憶した第１検出データ、第２検出データ及び第３検出データの所定時間（例えば、数十秒〜数分）におけるそれぞれの平均値を演算する。
【００１９】
ここで、三つのＬＥＤ２０の定格が等しく、三つのトランジスタＴＲ１〜ＴＲ３の定格が等しく、かつ、三つの抵抗器Ｒ１１〜Ｒ１３の抵抗値が等しいので、理想的には第１〜第３の負荷電流Ｉ１〜Ｉ３のそれぞれが互いに等しくなる。しかしながら、実際には定格及び抵抗値が完全に一致することはなく、特に、ＬＥＤ２０の定格のばらつきは、トランジスタＴＲ１〜ＴＲ３及び抵抗器Ｒ１１〜Ｒ１３の抵抗値のそれぞれのばらつきよりも大きくなる場合が多い。
【００２０】
例えば、図２に実線α及び実線βで示すように、第１のＬＥＤ２０Ａの電圧−電流特性（実線α）と第２のＬＥＤ２０Ｂの電圧−電流特性（実線β）に有意な差が生じる場合がある。そして、第１のＬＥＤ２０Ａと第２のＬＥＤ２０Ｂの各々の両端に等しい電圧ＶＦが印加された場合、第１のＬＥＤ２０Ａに流れる電流（第１の負荷電流Ｉ１）が、第２のＬＥＤ２０Ｂに流れる電流（第２の負荷電流Ｉ２）よりも大きくなる。その結果、第１のＬＥＤ２０Ａから放射される光束が第２のＬＥＤ２０Ｂから放射される光束よりも多くなってしまう。
【００２１】
そこで、制御部４１は、第１検出信号、第２検出信号及び第３検出信号を互いに比較し、第１検出信号、第２検出信号及び第３検出信号の差が所定の範囲内に収まるように電流調整部に負荷電流Ｉ１〜Ｉ３を調整させる。なお、所定の範囲とは、例えば、ＬＥＤ２０の定格電流の数％に対応する範囲が望ましい。
【００２２】
例えば、第２検出信号と第３検出信号の差及び第１検出信号と第３検出信号の差がそれぞれ所定の範囲内に収まっており、第１検出信号と第２検出信号の差が所定の範囲を外れている場合を想定する。制御部４１は、第１〜第３の負荷電流Ｉ１〜Ｉ３のうちで最も大きい負荷電流（例えば、第１の負荷電流Ｉ１）を含む一つ以上の負荷電流を調整するように駆動部４２を制御することが好ましい。
【００２３】
具体的に、制御部４１は、第１検出信号と第２検出信号を比較し、負荷電流の大きい方の検出信号（例えば、第１検出信号）を下げるためにトランジスタＴＲ１のゲート・ソース電圧を低下させるように駆動部４２を制御する。駆動部４２がトランジスタＴＲ１のゲート・ソース電圧を低下させると、トランジスタＴＲ１のオン抵抗が増加して第１の負荷電流Ｉ１が減少する。ここで、電源装置３の出力電流Ｉ０が一定であるので、第１の負荷電流Ｉ１が減少することにより、第２の負荷電流Ｉ２（又は第２の負荷電流Ｉ２と第３の負荷電流Ｉ３）が増加する。その結果、第１の負荷電流Ｉ１と第２の負荷電流Ｉ２の差が小さくなるので、第１検出信号と第２検出信号の差を所定の範囲内に収めることができる。
【００２４】
なお、制御部４１は、第１〜第３の負荷電流Ｉ１〜Ｉ３のうちで最も小さい負荷電流（例えば、第２の負荷電流Ｉ２）を含む一つ以上の負荷電流を調整するように駆動部４２を制御することが好ましい。具体的に、制御部４１は、トランジスタＴＲ１のゲート・ソース電圧を低下させる代わりに、トランジスタＴＲ２のゲート・ソース電圧を上昇させてもよい。あるいは、制御部４１は、トランジスタＴＲ１のゲート・ソース電圧を低下させ、かつ、トランジスタＴＲ２のゲート・ソース電圧を上昇させてもよい。
【００２５】
上述のように制御部４１が駆動部４２を制御し、第１検出信号、第２検出信号及び第３検出信号の差を所定の範囲内に収めることにより、複数のＬＥＤ２０の各々から放射される光束のばらつきの抑制を図ることができる。
【００２６】
なお、電流検出部は、抵抗器Ｒ１１〜Ｒ１３の代わりにホール素子を有していても構わない。信号処理部４３は、ホール素子の出力に基づいて負荷電流Ｉ１〜Ｉ３を検出してもよい。
【００２７】
次に、実施形態に係る照明システム１の変形例について、図３を参照して説明する。変形例の照明システム１は、図３に示すように、３台の照明器具２と、１台の電源装置３と、照明制御システム４と、電源装置３から３台の照明器具２に出力電流を供給する１本の電源ケーブル５とを有する。ただし、照明システム１が有する照明器具２の台数及び電源装置３の台数は、それぞれ３台及び１台に限定されない。
【００２８】
照明器具２は、ＬＥＤ２０を有する（図１及び図２参照）。なお、照明器具２は、ＬＥＤ２０に代えて有機エレクトロルミネッセンス素子又は半導体レーザなどの固体光源を有していても構わない。
【００２９】
電源装置３は、三つの直流電源回路３０及び三つのダイオード３１を収容するケース３２を備えることが好ましい。ケース３２は、電気的な導体（例えば、金属）によって箱形に形成されている。なお、ケース３２は、安定電位を有する場所（例えば、大地）に接地されることが好ましい。
【００３０】
三つの直流電源回路３０の各々は、例えば、ＡＣ／ＤＣコンバータと、絶縁型のＤＣ／ＤＣコンバータを有することが好ましい。ＡＣ／ＤＣコンバータは、商用の電力系統から供給される交流電力を直流電力に電力変換する。ＤＣ／ＤＣコンバータは、ＡＣ／ＤＣコンバータから出力される直流電力を電力変換して一定の出力電流Ｉ０を照明器具２に供給する。
【００３１】
電源ケーブル５は、２本の電源線５０Ａ、５０Ｂと、これら２本の電源線５０Ａ、５０Ｂを被覆するシース５１とを有する。一方の電源線５０Ａの一端は、電源装置３のケース３２内において、３つのダイオード３１を介して直流電源回路３０の高電位側の出力端子に分岐接続される。他方の電源線５０Ｂの一端は、電源装置３のケース３２内において、３つの直流電源回路３０の各々の低電位側の出力端子に分岐接続される。また、一方の電源線５０Ａの他端は、３台の照明器具２の各々の正極（ＬＥＤ２０のアノード）に分岐接続される。他方の電源線５０Ｂの他端は、３台の照明器具２の各々の負極（抵抗器Ｒ１１〜Ｒ１３の第一端）に分岐接続される。
【００３２】
例えば、３台の照明器具２は、競技場を照明する用途に用いられる投光器であり、照明柱などの先端（高所）に設置される。なお、照明制御システム４は、３台の照明器具２の近傍、例えば、照明器具２が設置されている照明柱に設置されることが好ましい。
【００３３】
一方、電源装置３は、例えば、競技場に設けられた建物の中に設置される。つまり、投光器を点灯させる点灯装置（電源装置）が投光器とともに高所に設置された場合、点灯装置のメンテナンス作業が高所での作業となってしまい、メンテナンス作業を行う作業員に大きな負担がかかってしまう。これに対して、実施形態に係る照明システム１では、電源装置３を照明器具２から離れた場所に設置することができるため、電源装置３を照明器具２と同じく高所に設置する場合に比べて、メンテナンス作業の作業性の向上を図ることができる。しかも、１台の電源装置３と複数台（図示例では３台）の照明器具２を１本の電源ケーブル５で接続しているので、省配線化を図ることができる。
【００３４】
さらに、照明システム１は、コントローラ６を有することが好ましい。コントローラ６は、電源装置３と信号線６０を介して電気的に接続される（図３参照）。コントローラ６は、信号線６０を介して調光信号を送信する。コントローラ６は、例えば、調光信号としてＰＷＭ信号を電源装置３に送信する。すなわち、コントローラ６は、調光信号（ＰＷＭ信号）のデューティ比によって電源装置３に調光レベルを指示する。
【００３５】
電源装置３では、コントローラ６から送信される調光信号を各直流電源回路３０が受信する。各直流電源回路３０は、受信した調光信号で指示される調光レベルに応じて出力電流を調整することにより、各照明器具２を調光する。
【００３６】
実施形態の照明システム１は、電気的に並列接続された複数の直流電源回路３０を電源装置３が有しており、電源装置３が冗長電源として構成されることによって信頼性の向上を図ることができる。
【００３７】
上述のように第１の態様に係る照明制御システム（４）は、定電流源（電源装置３）に対して電気的に並列接続された複数の照明負荷（ＬＥＤ２０；照明器具２）の各々に供給される電流を調整する。複数の照明負荷の各々は、順方向の印加電圧に対して単調増加する電圧−電流特性を有している。第１の態様に係る照明制御システム（４）は、複数の照明負荷の各々に流れる負荷電流（Ｉ１〜Ｉ３）を前記複数の照明負荷ごとに検出する電流検出部（抵抗器Ｒ１１〜Ｒ１３及び信号処理部４３）を備える。第１の態様に係る照明制御システム（４）は、複数の照明負荷ごとの負荷電流（Ｉ１〜Ｉ３）を各別に調整する電流調整部（トランジスタＴＲ１〜ＴＲ３及び駆動部４２）と、電流調整部を制御する制御部（４１）とを備える。制御部（４１）は、電流検出部が検出する複数の照明負荷ごとの負荷電流（Ｉ１〜Ｉ３）を比較する。制御部（４１）は、複数の照明負荷ごとの負荷電流（Ｉ１〜Ｉ３）の差が所定の範囲内に収まるように電流調整部に負荷電流（Ｉ１〜Ｉ３）を調整させる。
【００３８】
第１の態様に係る照明制御システム（４）は、負荷電流（Ｉ１〜Ｉ３）の差を所定の範囲内に収めるように、制御部（４１）が電流調整部を制御することにより、複数の照明負荷の各々から放射される光束のばらつきの抑制を図ることができる。
【００３９】
第２の態様に係る照明制御システム（４）は、第１の態様との組合せにより実現され得る。第２の態様に係る照明制御システム（４）において、制御部（４１）は、複数の照明負荷ごとの負荷電流（Ｉ１〜Ｉ３）のうちで最も大きい負荷電流を含む一つ以上の負荷電流を調整するように電流調整部を制御することが好ましい。
【００４０】
第２の態様に係る照明制御システム（４）は、負荷電流（Ｉ１〜Ｉ３）のうちで最も大きい負荷電流を含む一つ以上の負荷電流を電流調整部が調整することにより、負荷電流（Ｉ１〜Ｉ３）の差を容易に所定の範囲内に収めることができる。
【００４１】
第３の態様に係る照明制御システム（４）は、第１の態様との組合せにより実現され得る。第３の態様に係る照明制御システム（４）において、制御部（４１）は、複数の照明負荷ごとの負荷電流（Ｉ１〜Ｉ３）のうちで最も小さい負荷電流を含む一つ以上の負荷電流を調整するように電流調整部を制御することが好ましい。
【００４２】
第３の態様に係る照明制御システム（４）は、負荷電流（Ｉ１〜Ｉ３）のうちで最も小さい負荷電流（Ｉ１）を含む一つ以上の負荷電流を電流調整部が調整することにより、負荷電流（Ｉ１〜Ｉ３）の差を容易に所定の範囲内に収めることができる。
【００４３】
第４の態様に係る照明制御システム（４）は、第１〜第３の態様のいずれかとの組合せにより実現され得る。第４の態様に係る照明制御システム（４）において、電流調整部は、抵抗値が可変である電気素子（トランジスタＴＲ１〜ＴＲ３）と、電気素子を制御して抵抗値を変化させる電気素子制御部（駆動部４２）とを有することが好ましい。
【００４４】
第４の態様に係る照明制御システム（４）は、電気素子の抵抗値を増加させて負荷電流を減少させ、電気素子の抵抗値を減少させて負荷電流を増加させることができる。
【００４５】
第５の態様に係る照明制御システム（４）は、第４の態様との組合せにより実現され得る。第５の態様に係る照明制御システム（４）において、電気素子はトランジスタ（ＴＲ１〜ＴＲ３）であることが好ましい。電気素子制御部は、トランジスタ（ＴＲ１〜ＴＲ３）を能動領域で動作させることが好ましい。
【００４６】
第５の態様に係る照明制御システム（４）は、トランジスタ（ＴＲ１〜ＴＲ３）を能動領域で動作させることで抵抗値（オン抵抗）を容易に調整することができる。
【００４７】
第６の態様に係る照明システム（１）は、定電流源と、定電流源に対して電気的に並列接続された複数の照明負荷と、第１〜５のいずれかの態様に係る照明制御システム（４）とを有する。
【００４８】
第６の態様に係る照明システム（１）は、複数の照明負荷の各々から放射される光束のばらつきの抑制を図ることができる。
【００４９】
第７の態様に係る照明システム（１）は、第６の態様との組合せにより実現され得る。第７の態様に係る照明システム（１）において、定電流源は、複数の直流電源回路（３０）を有することが好ましい。複数の直流電源回路（３０）の各々の出力端子が電気的に並列接続されていることが好ましい。
【００５０】
第７の態様に係る照明システム（１）は、定電流源を冗長電源として構成することによって信頼性の向上を図ることができる。
【符号の説明】
【００５１】
１  照明システム
２  照明器具（照明負荷）
３  電源装置（定電流源）
４  照明制御システム
２０  ＬＥＤ（照明負荷）
３０  直流電源回路
４１  制御部
４２  駆動部（電流調整部）
４３  信号処理部（電流検出部）
ＴＲ１〜ＴＲ３  トランジスタ（電流調整部）
Ｒ１１〜Ｒ１３  抵抗器（電流検出部）
Ｉ１〜Ｉ３  負荷電流
【図１】
2020107433.tif 000003
【図２】
2020107433.tif 000004
【図３】
2020107433.tif 000005